(57)【要約】【課題】マーカを釣竿に安全且つ確実に取り付け可能な穂先マーカ組立体を提供する。【解決手段】穂先マーカ組立体４０は、釣竿の穂先に取り付けられるマーカ２０と、マーカ２０を穂先に取り付ける取り付け治具３０とを備える。マーカ２０は、蛍光剤を含む樹脂によって可撓性を有する円筒形状に構成されており、周方向の１カ所において軸方向に延びる分断線に沿って分断されている。取り付け治具３０は、ガイド板３１とシール３５とを有する。ガイド板３１は、表面３２及び表面３２と反対側の裏面３３を有する板状であって、分断線を通じてマーカ２０の内外に延在する。シール３５は、マーカ２０及びガイド板３１を着脱可能に結合する。【選択図】図３
2015019627.tif 000002
【特許請求の範囲】
【請求項１】
釣竿の穂先に取り付けられるマーカと、上記マーカを穂先に取り付ける取り付け治具とを備える穂先マーカ組立体であって、
上記マーカは、蛍光剤を含む樹脂によって可撓性を有する円筒形状に構成されており、周方向の１カ所において軸方向に延びる分断線に沿って分断されており、
上記取り付け治具は、
表面及び上記表面と反対側の裏面を有する板状であって、上記分断線を通じて上記マーカの内外に延在するガイド板と、
上記マーカ及び上記ガイド板を着脱可能に結合する結合部材と、を有する穂先マーカ組立体。
【請求項２】
上記マーカの軸方向の長さは、６ｍｍ以上である請求項１に記載の穂先マーカ組立体。
【請求項３】
上記結合部材は、上記マーカの外周面と上記ガイド板の裏面とに亘って貼着されたシールである請求項１又は２に記載の穂先マーカ組立体。
【発明の詳細な説明】
【技術分野】
【０００１】
本発明は、釣竿の穂先に装着される穂先マーカ組立体に関する。
【背景技術】
【０００２】
釣竿を使用する釣りのジャンルは様々であるが、たとえば船からのカワハギ釣りや磯での沈め釣り等では、釣人は、いわゆる魚のアタリを穂先の変化で捉えることがある。魚のアタリが穂先で捉えられるためには、穂先の感度が高くなければならない。この場合の「感度」とは、上記アタリによる振動がどれ程ストレートに穂先の変化となって現れるかどうかの度合いのことである。釣竿、特に穂先の構造については、従来から種々の改良が加えられている（たとえば、特許文献１参照）。
【先行技術文献】
【特許文献】
【０００３】
【特許文献１】特開２００５−５２０９３号公報
【発明の概要】
【発明が解決しようとする課題】
【０００４】
ところで、穂先の感度が向上したとしても、穂先の微妙な変化を釣人が確実に視認することができなければ、結局魚のアタリを捉えることはできない。穂先の視認性を向上させるために、蛍光剤を含むマーカを穂先に取り付けることが考えられる。しかしながら、高い感度が要求される釣竿の穂先は、外力に対して脆弱である。そのため、マーカを着脱する際に穂先が損傷する可能性がある。
【０００５】
この発明は、上記の事情に鑑みてなされたものであり、その目的は、マーカを釣竿に安全且つ確実に取り付けることのできる穂先マーカ組立体を提供することである。
【課題を解決するための手段】
【０００６】
(1)  本発明に係る穂先マーカ組立体は、釣竿の穂先に取り付けられるマーカと、上記マーカを穂先に取り付ける取り付け治具とを備える。そして、上記マーカは、蛍光剤を含む樹脂によって可撓性を有する円筒形状に構成されており、周方向の１カ所において軸方向に延びる分断線に沿って分断されている。また、上記取り付け治具は、表面及び上記表面と反対側の裏面を有する板状であって、上記分断線を通じて上記マーカの内外に延在するガイド板と、上記マーカ及び上記ガイド板を着脱可能に結合する結合部材とを有する。
【０００７】
上記構成の穂先マーカ組立体によれば、ガイド板の表面に載置した穂先をマーカと共に保持した状態でガイド板をマーカから引き離すことによって、穂先は、ガイド板の表面に案内されながら分断線を通じてマーカに進入する。これにより、外力に対して脆弱な穂先にマーカを安全且つ確実に取り付けることができる。
【０００８】
(2)  好ましくは、上記マーカの軸方向の長さは、６ｍｍ以上である。
【０００９】
上記構成によれば、釣竿の穂先に取り付けられたマーカの外周面に入射し且つ端面から放たれる光を、当該釣竿を持つ釣人に明確に視認させることができる。
【００１０】
(3)  好ましくは、上記結合部材は、上記マーカの外周面と上記ガイド板の裏面とに亘って貼着されたシールである。
【００１１】
上記構成によれば、穂先マーカ組立体を簡単に組み立てることができる。また、上記の方法でマーカを穂先に取り付ける際に、マーカからシールを容易に剥離させることができる。
【発明の効果】
【００１２】
本発明によれば、分断線を通じてマーカに進入する穂先がガイド板によって案内されるので、マーカを釣竿に安全且つ確実に取り付けることのできる穂先マーカ組立体を得ることができる。
【図面の簡単な説明】
【００１３】
【図１】図１は、マーカ２０が取り付けられた釣竿１０の模式図である。
【図２】図２は、マーカ２０の斜視図であって、（Ａ）は一対の端面２４、２５が当接した状態、（Ｂ）は一対の端面２４、２５が離間した状態を示す。
【図３】図３は、本実施形態に係る穂先マーカ組立体４０の斜視図であって、（Ａ）はガイド板３１の表面３２側から見た図、（Ｂ）はガイド板３１の裏面３３側から見た図である。
【図４】図４は、本実施形態に係る穂先マーカ組立体４０によって、マーカ２０を穂先部４１に取り付ける過程を示す図である。
【発明を実施するための形態】
【００１４】
以下、本発明の好ましい実施形態が、適宜図面が参照されながら説明される。なお、本実施の形態は、本発明に係る穂先マーカ組立体の一態様にすぎず、本発明の要旨を変更しない範囲で実施態様が変更されてもよいことは言うまでもない。
【００１５】
［釣竿１０の全体構成］
【００１６】
図１は、本発明の一実施形態に係る釣竿１０の模式図である。図１は、魚がヒットした状態の釣竿１０を示している。釣竿１０は、図１に示されるように、複数の節１２、１３、１４と、複数のガイド部材１５とを備える。釣竿１０は、例えば、炭素繊維強化プラスチックやガラス繊維強化プラスチック等で形成されている。釣竿１０は、例えば船釣りに使用される振出式のものである。但し、釣竿１０は、船釣り以外に使用されるものであってもよいし、振出式でなく継ぎ式であってもよい。
【００１７】
節１２〜１４は、釣竿１０を構成する細長棒状の部材である。節１２〜１４は、釣竿１０の先端側から順に第１番節１２、第２番節（図示せず）と呼ばれ、最も後端の節は、特に元節１４と呼ばれる。元節１４に連続する前節は、特に元上節１３と呼ばれる。各節１２〜１４は筒状に形成されている。各節１２〜１４は、例えば、カーボン繊維を含侵させた樹脂シート（所謂、カーボンプリプレグ）を螺旋状に巻回して焼成する公知の方法によって製造することができる。
【００１８】
ガイド部材１５は、各節１２〜１４に設けられている。各ガイド部材１５は、釣用リール１１から繰り出される釣糸１９が挿通される挿通孔（不図示）を有する。各ガイド部材１５は、釣糸１９を釣竿１０の外周面に沿って長手方向に案内するためのものである。すなわち、図１に示された釣竿１０は、所謂アウターガイドタイプの釣竿である。なお、釣竿１０は、筒状に形成された各節の内部に釣糸１９を通す所謂インナーガイドタイプの釣竿であってもよい。
【００１９】
釣竿１０の先端部（すなわち、節１２の先端部）は、穂先部４１と呼ばれる。穂先部４１は、釣竿１０のユーザが魚のアタリを釣竿１０の湾曲の変化で捉える際に、当該ユーザによって視認される部分である。穂先部４１は、例えば、金属色で塗装されている。具体的には、穂先部４１は、塗装された部材の表面を金属の質感に再現することができる所謂メタリックカラーの塗料で塗装されている。また、穂先部４１には、後述するマーカ２０が取り付けられている。
【００２０】
釣竿１０の基端部（すなわち、元節１４の基端部）は、バット部４４と呼ばれる。バット部４４は、元節１４の基端近傍に設けられたリアグリップ４５と、リアグリップ４５よりも先端側に設けられたフロントグリップ４６と、リアグリップ４５及びフロントグリップ４６の間に設けられたリールシート４７とを備える。リアグリップ４５及びフロントグリップ４６は、ゴムなどの高摩擦係数の部材で形成されている。釣竿１０が使用される際、リアグリップ４５及びフロントグリップ４６の少なくとも一方が、釣竿１０のユーザによって把持される。
【００２１】
リールシート４７は、釣用リール１１を釣竿１０に保持するためのものである。リールシート４７は、元節１４を覆い且つ元節１４の長手方向に沿って摺動可能な可動フード４９と、可動フード４９よりも釣竿１０の基端側に設けられた固定フード４８と、可動フード４９の摺動をロックするロック部（不図示）とを備える。可動フード４９は、釣用リール１１に設けられた脚の一方側を保持する。固定フード４８は、釣用リール１１に設けられた脚の他方側を保持する。可動フード４９及び固定フード４８の双方が釣用リール１１の脚を保持した状態において、ロック部によって可動フード４９が摺動不可能な状態とされることにより、固定フード４８と可動フード４９とが協働して釣用リール１１をリールシート４７に位置決め固定する。
【００２２】
［マーカ２０］
【００２３】
マーカ２０は、穂先部４１に外嵌されている。このマーカ２０は、図２に示されるように、円筒形状の外形を呈している。マーカ２０の内径寸法は、穂先部４１の直径と同一か、或いは穂先部４１の直径より僅かに大きく設定される。また、マーカ２０の軸方向の長さは、例えば、６ｍｍ〜１５ｍｍ、より好ましくは８ｍｍ〜１０ｍｍ程度に設定される。このマーカ２０は、例えば、十分に長いマーカ素材を所望の長さに切断することによって、得ることができる。
【００２４】
マーカ２０は、例えば、蛍光塗料等の蛍光剤を含む樹脂によって構成されている。これにより、円筒形状の外周面に入射した光は、端面２２、２３から出射される。そのため、図１に示される釣竿１０を持つ釣人は、端面２３から放たれる光によって穂先部４１の位置及び動きを視認することができる。マーカ２０を構成する樹脂は、例えば、ポリ塩化ビニル等を採用することができる。これにより、マーカ２０は、穂先部４１の動きを阻害しない程度の可撓性を有する。
【００２５】
円筒形状のマーカ２０は、図２（Ａ）に示されるように、周方向の１カ所において軸方向に延びる分断線２１に沿って分断されている。分断線２１とは、図２（Ａ）に示されるように、周方向において互いに対向する一対の端面２４、２５を当接させることによって、マーカ２０の表面に現れる線を指す。分断線２１は、マーカ２０の軸方向の全域に形成されている。すなわち、マーカ２０は、図２（Ｂ）に示されるように、外力が加えられることによって分断線２１の両側に位置する一対の端面２４、２５が離間するように構成されている。なお、分断線２１は、周方向に連続した（すなわち、分断線２１が形成されていない）マーカ２０をナイフ等で分断することによって、事後的に形成されるものであってもよい。
【００２６】
［穂先マーカ組立体４０］
【００２７】
穂先部４１に取り付けられる前のマーカ２０は、図３に示されるように、取り付け治具３０に取り付けられた穂先マーカ組立体４０として提供される。すなわち、本実施形態に係る穂先マーカ組立体４０は、マーカ２０と、取り付け治具３０とを備える。また、取り付け治具３０は、ガイド板３１と、シール３５（本発明の結合部材の一例）とで構成されている。
【００２８】
ガイド板３１は、図３に示されるように、表面３２と裏面３３とを有する板状の外形を呈している。穂先マーカ組立体４０におけるガイド板３１は、分断線２１を通じて（換言すれば、周方向に離間した一対の端面２４、２５の間から）マーカ２０の内外に延在している。すなわち、図３に示されるガイド板３１は、その左端が円筒形状のマーカ２０の内部に位置しており、右端（突出端３４）がマーカ２０の外部に突出している。なお、マーカ２０から突出するガイド板３１の長さ（ガイド板３１の突出長さ）は、穂先部４１の直径より長いことが望ましい。また、図３に示されるガイド板３１の前後方向の長さは、マーカ２０の軸方向の長さと概ね一致しているが、これに限定されることなく、マーカ２０の軸方向の長さより長くてもよいし、短くてもよい。ガイド板３１を構成する材料は特に限定されないが、例えば、紙であってもよいし、樹脂フィルム等であってもよい。
【００２９】
シール３５は、マーカ２０の外周面とガイド板３１の裏面３３とに亘って貼着されている。なお、シール３５は、外力が加えられることによってマーカ２０の外周面から容易に剥離する程度の貼着力によってに貼着されている。すなわち、シール３５は、マーカ２０とガイド板３１とを着脱可能に結合している。但し、本発明の結合部材は、図３に示されるシール３５の形態に限定されない。例えば、外力によって容易に剥離する接着剤を、マーカ２０の外周面とガイド板３１の裏面３３とに亘って塗布してもよい。
【００３０】
［穂先マーカ組立体４０の使用方法］
【００３１】
図４を参照して、本実施形態に係る穂先マーカ組立体４０を用いて、マーカ２０を穂先部４１に取り付ける手順を説明する。なお、以下の説明では、穂先マーカ組立体４０を取り扱う釣人の手の動きの一例を示すが、具体的な取り扱い方がこれに限定されないことは言うまでもない。
【００３２】
まず、釣人は、ガイド板３１の表面３２に載置した釣竿１０の穂先部４１を、マーカ２０を把持する左手の親指でマーカ２０側に引き寄せる。これにより、穂先部４１は、図４（Ａ）に示されるように、分断線２１の近傍においてマーカ２０の外周面に当接する。また、ガイド板３１は、穂先部４１よりマーカ２０から離れた位置まで延設されている。すなわち、ガイド板３１の突出端３４は、穂先部４１よりマーカ２０から離れた位置まで突出している。
【００３３】
次に、釣人は、ガイド板３１の突出端３４側を右手で摘まんで、ガイド板３１をマーカ２０から引き離す向き（図４（Ｂ）の矢印の向き）に引く。このとき、シール３５がガイド板３１の裏面３３から剥離するのを防止するために、ガイド板３１とシール３５とを纏めて摘まむのが望ましい。これにより、図４（Ｂ）に示されるように、分断線２１を構成する一対の端面２４、２５が離間する。
【００３４】
ガイド板３１をさらに矢印の向きに引くことによって一対の端面２４、２５の離間距離が穂先部４１の直径を超えると、図４（Ｃ）に示されるように、円筒形状のマーカ２０の内部に穂先部４１が進入する。また、シール３５がマーカ２０の外周面から剥離して、ガイド板３１がマーカ２０から取り外される。これにより、図１に示されるように、マーカ２０が釣竿１０の穂先部４１に取り付けられる。
【００３５】
［本実施形態の作用効果］
【００３６】
本実施形態に係るマーカ２０は、蛍光剤を含み且つ所定の長さを確保することにより、外周面に入射した光によってマーカの端面２２、２３が発光するので、釣竿１０を持つ釣人に穂先部４１の視認性を向上させることができる。また、マーカ２０に可撓性を付与することによって、当該マーカ２０が取り付けられた穂先部４１の感度の低下を抑制することができる。
【００３７】
また、本実施形態の穂先マーカ組立体４０によれば、ガイド板３１の表面３２に載置した穂先部４１をマーカ２０と共に保持した状態でガイド板３１をマーカ２０から引き離すことによって、ガイド板３１の表面３２に案内された穂先部４１を分断線２１を通じて（換言すれば、周方向に離間した一対の端面２４、２５の間から）マーカ２０に進入させることができる。これにより、外力に対して脆弱な穂先部４１にマーカ２０を安全且つ確実に取り付けることができる。
【００３８】
さらに、本実施形態によれば、マーカ２０とガイド板３１とを結合させる結合部材にシール３５を採用したことにより、穂先マーカ組立体４０の組み立てが簡単になると共に、取り付け時にマーカ２０からシール３５を容易に剥離させることができる。
【符号の説明】
【００３９】
２０・・・マーカ
３０・・・取り付け治具
３１・・・ガイド板
３２・・・表面
３３・・・裏面
３５・・・シール
４０・・・穂先マーカ組立体
【図１】
2015019627.tif 000003
【図２】
2015019627.tif 000004
【図３】
2015019627.tif 000005
【図４】
2015019627.tif 000006